(57)【要約】【課題】インクジェットプリンタを用いて任意の印刷画像をその場で印刷して販売することのできるＴシャツの自動印刷販売装置を提案すること。【解決手段】Ｔシャツの自動印刷販売装置１は、印刷面２ａが露出した状態で包装されている未印刷Ｔシャツ２Ａを、代金と引き換えに販売する未印刷Ｔシャツの自動販売機３と、販売された未印刷Ｔシャツを受け取る受け入れ部１４、この受け入れ部１４で受け取った未印刷Ｔシャツの印刷面２ａに印刷を施すインクジェットプリンタ１５、印刷後に印刷画像を印刷面２ａに定着させる定着部１７、および、印刷画像が定着した後の印刷済みＴシャツ２Ｂを排出する排出口１３を備えた自動印刷処理機４とを有している。【選択図】図２
0003124627.tif 000002
【実用新案登録請求の範囲】
【請求項１】
印刷面が露出した状態で包装されている未印刷商品を、代金と引き換えに販売する未印刷商品の自動販売機と、
販売された未印刷商品を受け取る未印刷商品の受け取り部、この受け取り部で受け取った未印刷商品の前記印刷面に印刷を施すインクジェットプリンタ、印刷後に印刷画像を前記印刷面に定着させる定着部、および、印刷画像が定着した後の印刷済み商品を排出する商品排出口を備えた商品自動印刷処理機と、
を有していることを特徴とする商品の自動印刷販売装置。
【請求項２】
請求項１において、
前記未印刷商品の自動販売機で販売される未印刷商品を前記商品自動印刷処理機の前記受け取り部に送り込む未印刷商品搬送部を有していることを特徴とする商品の自動印刷販売装置。
【請求項３】
請求項２において、
前記印刷画像を設定する印刷画像設定部を有していることを特徴とする商品の自動印刷販売装置。
【請求項４】
請求項３において、
前記印刷画像設定部は、複数の異なる印刷画像データが記憶保持されている画像メモリと、この画像メモリに記憶保持されている印刷画像データの一つを印刷画像として選択する入力部と、選択された印刷画像データを前記インクジェットプリンタに供給して印刷を行わせる制御部とを備えていることを特徴とする商品の自動印刷販売装置。
【請求項５】
請求項３において、
前記印刷画像設定部は、カメラ、イメージスキャナなどの撮像部と、撮像部で撮像された画像データを印刷画像として選択する入力部と、選択された印刷画像データを前記インクジェットプリンタに供給して印刷を行わせる制御部とを備えていることを特徴とする商品の自動印刷販売装置。
【請求項６】
請求項４または５において、
前記印刷画像設定部は印刷画像の表示部を備えており、前記制御部は、前記入力部からの入力に基づき、前記表示部の表示画面上において印刷画像データを編集する画像編集機能を備えていることを特徴とする商品の自動印刷販売装置。
【請求項７】
請求項４ないし６のうちのいずれかの項において、
前記印刷画像設定部は、通信回線を介して外部から画像データをダウンロードするための通信インターフェースを備えており、前記制御部は前記入力部からの入力に基づき、ダウンロードした画像データを印刷画像データとして選択することを特徴とする商品の自動印刷販売装置。
【請求項８】
請求項１において、
前記定着部は、印刷後の印刷面を加熱するためのハロゲンランプなどの加熱ランプを備えていることを特徴とする商品の自動印刷販売装置。
【請求項９】
請求項１において、
前記定着部は、印刷後の印刷面に押し付けられながら転動するローラーヒータを備えていることを特徴とする商品の自動印刷販売装置。
【請求項１０】
請求項１ないし９のうちのいずれかの項において、
前記商品はＴシャツであり、印刷面が露出するように折り畳まれた状態で包装されていることを特徴とする商品の自動印刷販売装置。
【考案の詳細な説明】
【技術分野】
【０００１】
本考案は、Ｔシャツなどの商品にインクジェットプリンタにより任意の画像を印刷して販売することのできる商品の自動印刷販売装置に関するものである。
【背景技術】
【０００２】
Ｔシャツなどの衣類にカラー画像を印刷する方法としてはスクリーン印刷が知られている。また、転写フィルム上に印刷されているカラー画像を熱圧プレスによりＴシャツなどの衣類に熱転写する方法が知られている。これらの方法は、工場での大量生産には適するが、多品種少量生産、あるいは一品生産には適していない。
【考案の開示】
【考案が解決しようとする課題】
【０００３】
本考案の課題は、このような点に鑑みて、インクジェットプリンタを用いて任意の印刷画像をその場で印刷して販売することのできる商品の自動印刷販売装置を提案することにある。
【課題を解決するための手段】
【０００４】
上記の課題を解決するために、本考案の商品の自動印刷販売装置は、印刷面が露出した状態で包装されている未印刷商品を、代金と引き換えに販売する未印刷商品の自動販売機と、
販売された未印刷商品を受け取る未印刷商品の受け取り部、この受け取り部で受け取った未印刷商品の前記印刷面に印刷を施すインクジェットプリンタ、印刷後に印刷画像を前記印刷面に定着させる定着部、および、印刷画像が定着した後の印刷済み商品を排出する商品排出口を備えた商品自動印刷処理機とを有していることを特徴としている。
【０００５】
ここで、前記未印刷商品の自動販売機で販売される未印刷商品を前記商品自動印刷処理機の前記受け取り部に送り込む未印刷商品搬送部を有していることが望ましい。このようにすれば、購入した商品がそのまま商品自動印刷処理機に送り込まれて選択した印刷画像が印刷され、出来上がった商品が排出される。
【０００６】
また、前記印刷画像を設定する印刷画像設定部を有していることが望ましい。この印刷画像設定部は、複数の異なる印刷画像データが記憶保持されている画像メモリと、この画像メモリに記憶保持されている印刷画像データの一つを印刷画像として選択する入力部と、選択された印刷画像データを前記インクジェットプリンタに供給して印刷を行わせる制御部とを備えた構成とすることができる。
【０００７】
前記印刷画像設定部は、カメラ、イメージスキャナなどの撮像部と、撮像部で撮像された画像データを印刷画像として選択する入力部と、選択された印刷画像データを前記インクジェットプリンタに供給して印刷を行わせる制御部とを備えた構成とすることができる。
【０００８】
さらに、前記印刷画像設定部は印刷画像の表示部を備えており、前記制御部は、前記入力部からの入力に基づき、前記表示部の表示画面上において印刷画像データを編集する画像編集機能を備えていることが望ましい。
【０００９】
また、前記印刷画像設定部は、通信回線を介して外部から画像データをダウンロードするための通信インターフェースを備えており、前記制御部は前記入力部からの入力に基づき、ダウンロードした画像データを印刷画像データとして選択することが望ましい。
【００１０】
次に、前記定着部は、印刷後の印刷面を加熱するためのハロゲンランプなどの加熱ランプを備えた構成とすることができる。
【００１１】
また、前記定着部は、印刷後の印刷面に押し付けられながら転動するローラーヒータを備えた構成とすることができる。
【００１２】
本考案の商品の自動印刷販売装置は、特に、Ｔシャツの自動印刷販売装置として用いるのに適している。
【考案の効果】
【００１３】
本考案の商品の自動印刷販売装置では、代金と引き換えに、未印刷状態の印刷面を備えたＴシャツなどの商品を購入し、購入した商品がインクジェトプリンタを備えた自動印刷販売機において印刷されて排出される。したがって、その場で任意の画像が印刷されたＴシャツなどの商品を販売することができる。よって、本考案の装置は、イベント会場、観光地などに設置して用いるのに最適である。
【考案を実施するための最良の形態】
【００１４】
以下に、図面を参照して、本考案を適用したＴシャツの自動印刷販売装置を説明する。
【００１５】
図１は、本例のＴシャツ自動印刷販売装置の概要を示す外観斜視図であり、図２はその自動印刷販売機の内部構造を示す説明図である。Ｔシャツ自動印刷販売装置１は、未印刷Ｔシャツ２Ａの自動販売機３と、未印刷Ｔシャツ２Ａに印刷を施して印刷済みＴシャツを制作する自動印刷処理機４とを有している。
【００１６】
未印刷Ｔシャツ２Ａは、その印刷面２ａが露出した状態で包装されている。例えば、偏平な段ボール製の包装箱５の表面に矩形の開口５ａが形成されており、ここから、開口５ａより一回り小さな形状の印刷面２ａが露出したＴシャツ２Ａが、折り畳まれた状態で包装箱５に収納されている。包装箱５の代わりに、包装紙で包装しておいてもよい。あるいは露出した状態で、矩形の型紙を芯として折り畳んだ状態のＴシャツを用意しておいてもよい。
【００１７】
自動販売機３は、一般的な自動販売機と同様であり、コイン投入口あるいは紙幣投入口などの金銭投入口６と、Ｔシャツ選択用のタッチパネルなどからなる操作面を備えた入力部７を備えている。自動販売機３の内部には、投入された金銭を識別して処理する金銭処理部（図示せず）と、商品棚８と、商品棚８に収納されている未印刷Ｔシャツ２Ａを取り出して自動印刷処理機４に送り込むための搬送機構（図示せず）が配置されている。
【００１８】
自動印刷処理機４は、その前面に、液晶画面などのモニター画面１１と、カメラ１２と、印刷済みのＴシャツ２Ｂを排出するための排出口１３を備えている。また、内部には、自動販売機３から送り込まれる未印刷Ｔシャツ２Ａを受け入れる受け入れ部１４と、ここに受け入れた未印刷Ｔシャツ２Ａをインクジェットプリンタ１５の印刷位置を経由して搬送する搬送機構１６と、印刷画像を印刷面２ａに定着させるための定着部１７と、定着部１７を経由して得られた印刷済みＴシャツ２Ｂを排出口１３に送り出す排出部１８とが備わっている。さらに、これらの各部の駆動制御および、自動販売機３の各部の駆動制御を司る制御部２０が備わっている。制御部２０はパーソナルコンピュータから構成することができ、インターネットなどの通信網を介して外部との間で通信を行うための通信用インターフェース、印刷画像を選択するための選択機構、選択された画像をモニター画面１１上で編集するための画像編集機能、印刷画像として選択可能な多数の画像データが収録されている画像メモリなどが備わっている。
【００１９】
ここで、定着部１７は、たとえば、ハロゲンランプなどの加熱ランプとすることができる。この代わりに、印刷後の印刷面２ａに押し付けられながら転動するローラーヒータを用いることもできる。
【００２０】
この構成のＴシャツ自動印刷販売装置１の動作を説明する。未印刷Ｔシャツ２Ａとして、寸法、色、形などの異なる各種のものを用意し、商品棚８に収納しておく。購入者が金銭を投入して入力部７のタッチパネルなどから購入希望のＴシャツ２Ａを選択すると、商品棚８から対象の未印刷Ｔシャツ２Ａが取り出されて自動印刷処理機４の受け入れ部１４に送り込まれる。なお、自動販売機３と、自動印刷処理機４を独立して設置しておくことも可能である。この場合には、購入者が、自動販売機３で購入した未印刷Ｔシャツ２Ａを当該自動販売機３から取り出して、自動印刷処理器４の受け入れ部１４に挿入すればよい。
【００２１】
受け入れ部１４に未印刷Ｔシャツ２Ａが送り込まれると、搬送機構１６が駆動して、未印刷Ｔシャツ２Ａをインクジェットプリンタ１５の印刷位置を経由して搬送する。インクジェットプリンタ１５は例えばシリアル型のものであり、そのインクジェットヘッドが未印刷Ｔシャツ２Ａの送り方向に直交する方向に往復移動しながら、当該未印刷Ｔシャツ２Ａの印刷面２ａに選択された画像を印刷する。
【００２２】
印刷後の画像は、定着部１７において加熱されて印刷面２ａに定着する。このようにして得られた印刷済みＴシャツ２Ｂは排出部１８を介して排出口１３に送り出され、ここから外部に排出される。この結果、選択した画像が印刷されたＴシャツ２Ｂを取得できる。
【００２３】
ここで、本例では、タッチパネルを備えた入力部７、モニター画面１１、カメラ１２が設置されている。したがって、カメラ１２で取得した画像を印刷することが可能である。また、画像メモリを備えており、ここに収録されている画像データから希望のものを選択して印刷することも可能である。さらに、制御部２０はインターネットなどを介して外部から画像を取得可能であり、外部から印刷画像を取得することも可能である。また、制御部２０は画像編集機能を備えており、選択した画像をモニター画面１１に表示して編集して印刷画像を作成することも可能である。例えば、タッチパネルでＴシャツを選択することによりモニター画面１１上にテンプレートを表示させ、その中で自分の好きなレイアウトを行うことができるようにすれば、画像編集を簡単に行うことができるので便利である。なお、入力部７から文字入力して印刷することも可能である。
【００２４】
インクジェットプリンタ１５で用いるインクとして、テキスタイル用インクを用いることができる。昇華型インクを用いることも可能である。
【００２５】
本例はＴシャツの自動印刷販売装置についてのものであるが、販売対象の商品はＴシャツに限定されず、ハンカチ、タオル、ベスト、帽子、手袋などの衣類でもよい。また、ペット用の衣類であってもよい。さらには、カバン、財布などの装身具であってもよい。
【図面の簡単な説明】
【００２６】
【図１】本考案を適用したＴシャツ自動印刷販売装置の概要を示す外観斜視図である。
【図２】図１の自動印刷処理機の内部構造を示す説明図である。
【符号の説明】
【００２７】
１    Ｔシャツ自動印刷販売装置
２Ａ  未印刷Ｔシャツ
２Ｂ  印刷済みＴシャツ
２ａ  印刷面
３    未印刷Ｔシャツの自動販売機
４    自動印刷処理機
５    包装箱
６    金銭投入口
７    入力部
８    商品棚
１１  モニター画面
１２  カメラ
１３  排出口
１４  受け入れ部
１５  インクジェットプリンタ
１６  搬送機構
１７  定着部
１８  排出部
２０  制御部
【図１】
0003124627.tif 000003
【図２】
0003124627.tif 000004